(57)【特許請求の範囲】
【請求項１】
不織布及びアスファルト含浸原紙のいずれかからなる基材シートの上面にゴムアスファルト及びアスファルトコンパウンドのいずれかからなるアスファルト層を設け、このアスファルト層の上面に不織布層を設け、この不織布層の上に合成樹脂フィルムを設け、この合成樹脂フィルムの上面に不織布層を設け、さらに、この不織布層の上面に粘着剤入りアクリル塗料層を設けたことを特徴とする屋根下葺防水シート。
【請求項２】
不織布及びアスファルト含浸原紙のいずれかからなる基材シートの上面にゴムアスファルト及びアスファルトコンパウンドのいずれかからなるアスファルト層を設け、このアスファルト層の上面に不織布層を設け、この不織布層の上に合成樹脂フィルムを設け、この合成樹脂フィルムの上面に不織布層を設け、さらに、この不織布層の上面に粘着剤入りアクリル塗料層を設け、前記基材シートの下面にゴムアスファルト層を設け、このゴムアスファルト層の下面に剥離紙を設けたことを特徴とする屋根下葺防水シート。
【請求項３】
不織布及びアスファルト含浸原紙のいずれかからなる基材シートの上面にゴムアスファルト及びアスファルトコンパウンドのいずれかからなるアスファルト層を設け、このアスファルト層の上面に不織布層を設け、この不織布層の上に合成樹脂フィルムを設け、この合成樹脂フィルムの上面に不織布層を設け、さらに、この不織布層の上面に粘着剤入りアクリル塗料層を設け、前記基材シートの下面にゴムアスファルト層を設け、このゴムアスファルト層の下面に珪砂層を設けたことを特徴とする屋根下葺防水シート。
【請求項４】
合成樹脂フィルムがポリプロピレンフィルムである請求項１、２又は３記載の屋根下葺防水シート。
【請求項５】
粘着剤入りアクリル塗料層は、アクリル塗料にアクリル系粘着剤を１０〜５０％混入したものである請求項１〜４のいずれかに記載の屋根下葺防水シート。
【発明の詳細な説明】
【０００１】
【発明の属する技術分野】
本発明は、屋根と瓦、金属板、スレート等の上葺材との間に敷設する屋根の下葺防水シート、詳しくは、ビス穴（孔）シール性に優れ、表面がべたつくことがなく、勾配屋根作業で滑り難く、ジョイントの重ね部の接着が優れている屋根下葺防水シートに関するものである。
【０００２】
【従来の技術】
近年、勾配屋根の下葺防水シートは、金属板、瓦、スレート等の上葺材で葺かれるが、種々の意匠の屋根形状が増加する中で、屋根材自体で防止することが難しく、ジョイント部や釘穴部分よりの雨水の浸入による漏水事故も少なくはない。このために、屋根上葺材の下層に防水層を設ける設計、構造が多く見受けられ始めた。この防水層は、野地板の上に、防水シートの裏面の自着粘着層を貼り付ける工法により設けられる。
この自着層付き防水シートには、ＥＰＤＭゴムの裏に非加流ゴムを複合したタイプのシート、ブチル系ゴムシート、ＡＰＰポリマーとアスファルトを混合した改質アスファルトシート、ＳＢＳ、ＳＢＲ等の合成ゴムをアスファルトに混入したゴムアスファルトシート等がある。
【０００３】
上葺材の固定のために、ビスや釘で防水層に穴が開けられるため、特にこの部分のシール性能が重要である。上記防水シートのＥＰＤＭ複合シートは、ストレートな釘のシール性は良いがビスの凹凸面をシールする性能は有さない。ブチルシートも接着性は良いもののビス穴シール性能は不充分である。ＡＰＰ入り改質アスファルトシートは加熱用シートのため、常温時のビス穴シール性は不適当である。
【０００４】
ゴムアスファルトシートは若干の熱でその穴にゴムアスファルトが流れ込みシールする特長を有している。このことから、勾配屋根の下葺防水にはゴムアスファルトシートが優れているといわれている。
しかし、その反面、ゴムアスファルトシートには次のような欠点があった。すなわち、夏場の施工中にシートの表面のゴムアスファルトが柔らかくなってべたつき、作業員の靴裏に付着して歩行中に上葺材を汚していた。
【０００５】
この汚泥防止のために、本出願人は、特開平１１−２８０２１２号公報に示すように、表面の不織布シートの上面に塗料印刷した樹脂塗料層を形成させた屋根の下葺材を提案している。
【０００６】
【発明が解決しようとする課題】
しかし、上記特開平１１−２８０２１２号公報記載の屋根の下葺材においては、不織布シートに塗料印刷した表面が勾配屋根面の作業で滑り易い場合があり、また、下葺材表面の端部と他の下葺材裏面の端部の粘着相互の接着性は良好であるが、その他の部分（シートの巻おわりと、更に新しいシートの始まりの重ね部（エンドラップ）や、屋根の納め部分）で、端部相互の重ねではない部分が発生する。この部分の接着性能は、防水上、特に重要な部分の一つである。この部分の接着が弱い場合があった。このように、下葺材表面の端部に他の下葺材裏面端部の粘着層を重ねると接着が弱い場合があった。
【０００７】
本発明は上記の点に鑑みなされたもので、本発明の目的は、勾配屋根における作業でも滑り難く、かつ、端部同士のジョイント部やその他のジョイント重ねの接合を強固に行って水密性の向上を図ることができ、さらに、ビス穴シール性に優れ、表面のべたつきがない屋根下葺防水シートを提供することにある。
【０００８】
【課題を解決するための手段】
上記の目的を達成するために、本発明の屋根下葺防水シートは、不織布及びアスファルト含浸原紙のいずれかからなる基材シートの上面にゴムアスファルト及びアスファルトコンパウンドのいずれかからなるアスファルト層を設け、このアスファルト層の上面に不織布層を設け、この不織布層の上に合成樹脂フィルムを設け、この合成樹脂フィルムの上面に不織布層を設け、さらに、この不織布層の上面に粘着剤入りアクリル塗料層を設けて構成されている（図１〜図４、特に図１、図２参照）。
【０００９】
また、本発明の屋根下葺防水シートは、不織布及びアスファルト含浸原紙のいずれかからなる基材シートの上面にゴムアスファルト及びアスファルトコンパウンドのいずれかからなるアスファルト層を設け、このアスファルト層の上面に不織布層を設け、この不織布層の上に合成樹脂フィルムを設け、この合成樹脂フィルムの上面に不織布層を設け、さらに、この不織布層の上面に粘着剤入りアクリル塗料層を設け、前記基材シートの下面にゴムアスファルト層を設け、このゴムアスファルト層の下面に剥離紙を設けたことを特徴としている（図３参照）。
【００１０】
さらに、本発明の屋根下葺防水シートは、不織布及びアスファルト含浸原紙のいずれかからなる基材シートの上面にゴムアスファルト及びアスファルトコンパウンドのいずれかからなるアスファルト層を設け、このアスファルト層の上面に不織布層を設け、この不織布層の上に合成樹脂フィルムを設け、この合成樹脂フィルムの上面に不織布層を設け、さらに、この不織布層の上面に粘着剤入りアクリル塗料層を設け、前記基材シートの下面にゴムアスファルト層を設け、このゴムアスファルト層の下面に珪砂層を設けたことを特徴としている（図４参照）。
【００１１】
これらの屋根下葺防水シートにおいて、合成樹脂フィルムとしてポリプロピレンフィルム（ＰＰフィルム）を用いることが好ましい。
また、粘着剤入りアクリル塗料層として、アクリル塗料にアクリル系粘着剤を１０〜５０％混入したものを用いることが好ましい。
【００１２】
【発明の実施の形態】
以下、本発明の実施の形態について説明する。本発明は下記の実施の形態に何ら限定されるものではなく、適宜変更して実施することができるものである。
図１は本発明の実施の第１形態による屋根下葺防水シートの概略断面を示している。不織布又はアスファルト含浸原紙からなる基材シート１０の上面に、ゴムアスファルトからなるアスファルト層１２を設け、このアスファルト層１２の上面に不織布層１４を接合し、この不織布層１４の上面に合成樹脂フィルム１６、例えばポリプロピレンフィルム（ＰＰフィルム）を接合し、この合成樹脂フィルム１６の上に不織布層１８を接合し、さらに、この不織布層１８の上面に粘着剤入りアクリル塗料層２０を設けている。
粘着剤入りアクリル塗料層２０は、アクリル塗料にアクリル系粘着剤を１０〜５０％混入したものである。
【００１３】
図２は本発明の実施の第２形態による屋根下葺防水シートの概略断面を示している。不織布又はアスファルト含浸原紙からなる基材シート１０の上面に、アスファルトコンパウンド（例えば三種コンパウンド）からなるアスファルト層１２ａを設け、このアスファルト層１２ａの上面に不織布層１４を接合し、この不織布層１４の上面に合成樹脂フィルム１６、例えばポリプロピレンフィルムを接合し、この合成樹脂フィルム１６の上に不織布層１８を接合し、さらに、この不織布層１８の上面に粘着剤入りアクリル塗料層２０を設けている。
【００１４】
図３は本発明の実施の第３形態による屋根下葺防水シートの概略断面を示している。不織布又はアスファルト含浸原紙からなる基材シート１０の上面に、ゴムアスファルト又はアスファルトコンパウンド（例えば三種コンパウンド）からなるアスファルト層１２ｂを設け、このアスファルト層１２ｂの上面に不織布層１４を接合し、この不織布層１４の上面に合成樹脂フィルム１６、例えばポリプロピレンフィルムを接合し、この合成樹脂フィルム１６の上に不織布層１８を接合し、さらに、この不織布層１８の上面に粘着剤入りアクリル塗料層２０を設け、基材シート１０の下面にゴムアスファルト層２２を設け、このゴムアスファルト層２２の下面に剥離紙２４を設けている。
【００１５】
図４は本発明の実施の第４形態による屋根下葺防水シートの概略断面を示している。不織布又はアスファルト含浸原紙からなる基材シート１０の上面に、ゴムアスファルト又はアスファルトコンパウンド（例えば三種コンパウンド）からなるアスファルト層１２ｂを設け、このアスファルト層１２ｂの上面に不織布層１４を接合し、この不織布層１４の上面に合成樹脂フィルム１６、例えばポリプロピレンフィルムを接合し、この合成樹脂フィルム１６の上に不織布層１８を接合し、さらに、この不織布層１８の上面に粘着剤入りアクリル塗料層２０を設け、基材シート１０の下面にゴムアスファルト層２２を設け、このゴムアスファルト層２２の下面に珪砂層２６を設けている。
【００１６】
本発明者の実験によれば、アクリル塗料にアクリル系粘着剤を１０〜５０％（例えば、３０％）混入して、表面印刷することにより、すべり防止の効果が得られた。一般に滑り防止効果が上がると、ジョイント接着性能が弱くなるが、本発明の屋根下葺防水シートでは、滑り防止効果を発揮しながら、接着性を良好にし、ジョイント部の水密性能を向上させることができた。
【００１７】
【発明の効果】
本発明は上記のように構成されているので、つぎのような効果を奏する。
（１）  勾配屋根での作業においても滑り難く、かつ、シート端部同士のジョイント重ね部の接合を強固に行うことができて水密性の向上を図ることができ、さらに、ビス穴シール性に優れ、表面のべたつきを防止することができる。
【図面の簡単な説明】
【図１】本発明の実施の第１形態による屋根下葺防水シートの概略断面図である。
【図２】本発明の実施の第２形態による屋根下葺防水シートの概略断面図である。
【図３】本発明の実施の第３形態による屋根下葺防水シートの概略断面図である。
【図４】本発明の実施の第４形態による屋根下葺防水シートの概略断面図である。
【符号の説明】
１０  基材シート
１２、１２ａ、１２ｂ  アスファルト層
１４、１８  不織布層
１６  ＰＰフィルム
２０  粘着剤入りアクリル塗料層
２２  ゴムアスファルト層
２４  剥離紙
２６  珪砂層
【図１】
0004551004.tif 000002
【図２】
0004551004.tif 000003
【図３】
0004551004.tif 000004
【図４】
0004551004.tif 000005